(57)【特許請求の範囲】
【請求項１】
ユーザ機器（ＵＥ）装置による３ＧＰＰモバイル通信システムネットワークのコアネットワークへの接続管理方法であって、
前記３ＧＰＰモバイル通信システムネットワークのインターワーキング機能を介した前記コアネットワークへの非３ＧＰＰ接続を確立し、前記非３ＧＰＰ接続を通じてデータを伝送する段階と、
前記データが前記非３ＧＰＰ接続を通じて伝送されている場合、前記３ＧＰＰモバイル通信システムネットワークの無線アクセスネットワーク（ＲＡＮ）と無線ローカルエリアネットワーク（ＷＬＡＮ）とを密接に結合する方式を用いて、前記３ＧＰＰモバイル通信システムネットワークの基地局を介した前記コアネットワークへのＷＬＡＮ接続を確立するための要求を、前記ＲＡＮを介して、前記基地局から受信する段階と、
前記要求に応答して、前記非３ＧＰＰ接続の一時停止を、前記非３ＧＰＰ接続または前記ＲＡＮを通じて前記コアネットワークへ通知する段階と、
前記非３ＧＰＰ接続が一時停止された後に前記ＷＬＡＮ接続が品質基準を満たさなくなったことに起因して前記非３ＧＰＰ接続を将来再開するために、前記ＷＬＡＮ接続を介した前記コアネットワークとの通信の間、前記非３ＧＰＰ接続のコンテキスト情報を記憶する段階と、
を備える、方法。
【請求項２】
前記非３ＧＰＰ接続を将来再開するための前記非３ＧＰＰ接続のコンテキスト情報を記憶している間、前記ＵＥ装置は、前記基地局を介して前記コアネットワークと通信する、
請求項１に記載の方法。
【請求項３】
前記基地局からの前記要求は、構成メッセージである、
請求項１または２に記載の方法。
【請求項４】
前記ＵＥ装置は、前記コンテキスト情報としてＩＰｓｅｃコンテキスト情報を記憶する、
請求項１から３のいずれか一項に記載の方法。
【請求項５】
前記ＷＬＡＮ接続は、信号レベルの測定結果に基づいて、前記ＵＥ装置によって自律的にリリースされてよい、
請求項１から４のいずれか一項に記載の方法。
【請求項６】
前記ＷＬＡＮ接続のリリース後に前記非３ＧＰＰ接続が再確立できない場合、前記ＵＥ装置は、前記３ＧＰＰモバイル通信システムネットワークを介して前記非３ＧＰＰ接続をリリースするために、前記コアネットワークへ情報を提供する、
請求項１から５のいずれか一項に記載の方法。
【請求項７】
前記コンテキスト情報は、予め定められた時間記憶され、前記一時停止が前記予め定められた時間を超えた場合、削除される、
請求項１から６のいずれか一項に記載の方法。
【請求項８】
ユーザ機器（ＵＥ）装置との接続を管理する３ＧＰＰモバイル通信システムネットワークにおける方法であって、
前記３ＧＰＰモバイル通信システムネットワークは、
前記３ＧＰＰモバイル通信システムネットワークの無線アクセスネットワーク（ＲＡＮ）と無線ローカルエリアネットワーク（ＷＬＡＮ）とを密接に結合する方式を用いて、前記ＵＥ装置とコアネットワークとの間のＷＬＡＮ接続を確立する基地局と、
非３ＧＰＰネットワークを介し、前記ＵＥ装置と前記コアネットワークとの非３ＧＰＰ接続を確立するためのインターワーキング機能と、
を有し、
前記方法は、
前記インターワーキング機能を介して、前記ＵＥ装置との前記非３ＧＰＰ接続を確立し、前記非３ＧＰＰ接続を通じてデータを伝送する段階と、
前記データが前記非３ＧＰＰ接続を通じて伝送されている場合、前記基地局により、前記ＷＬＡＮ接続を確立するための要求を、前記ＲＡＮを介して前記ＵＥ装置に送信する段階と、
前記要求に応答して前記ＵＥ装置から受信した前記非３ＧＰＰ接続を一時停止することを示すメッセージに応答して、前記非３ＧＰＰ接続を一時停止する段階と、
前記非３ＧＰＰ接続が一時停止された後に前記ＷＬＡＮ接続が品質基準を満たさなくなったことに起因して前記非３ＧＰＰ接続を将来再開するために、前記ＷＬＡＮ接続を介した前記ＵＥ装置との通信の間、前記非３ＧＰＰ接続のためのコンテキスト情報を記憶する段階と、
を備える、方法。
【請求項９】
前記３ＧＰＰモバイル通信システムネットワークは、
前記インターワーキング機能を介する前記ＵＥ装置との前記非３ＧＰＰ接続を有する間、前記非３ＧＰＰ接続を維持するためのキープアライブメッセージを定期的に送信し、
前記インターワーキング機能を介する前記ＵＥ装置との前記非３ＧＰＰ接続を一時停止している間、前記キープアライブメッセージの送信をやめる、
請求項８に記載の方法。
【請求項１０】
前記コンテキスト情報は、前記非３ＧＰＰ接続が再開されないであろうことを示す前記ＵＥ装置からのメッセージの受信に応答して削除される、
請求項９に記載の方法。
【請求項１１】
前記コンテキスト情報は、前記非３ＧＰＰ接続が再開されない場合、予め定められた時間後に削除される、
請求項９に記載の方法。
【発明の詳細な説明】
【技術分野】
【０００１】
本発明は、いわゆる３ＧＰＰ接続および非３ＧＰＰ接続などの、モバイル装置またはユーザ機器（ＵＥ）の複数接続のセットアップに関する。
【背景技術】
【０００２】
５Ｇコアネットワーク（ＣＮ）アーキテクチャが標準化においていまだ確定していない中、様々な機能および機能間の相互接続がアーキテクチャにあることが期待され得る。図１は、本発明の説明に関連するネットワーク要素およびインターフェースだけを有する簡易ＣＮアーキテクチャを示す。
【０００３】
ユーザ機器、ＵＥ、装置は、一般に無線アクセスネットワーク（ＲＡＮ）であってよいアクセスネットワークを介して３ＧＰＰ  ＣＮにアクセスする。無線アクセスネットワークが３ＧＰＰによって定義されるもの、例えば５Ｇ無線アクセスネットワークである場合、アクセスネットワークは、アクセスおよびモビリティ管理機能（ＡＭＦ）への接続を提供する。接続は、Ｎ２と呼ばれる。ＡＭＦは、図１に図示されるすべての要素と同様に、単独のＣＮに複数回存在してよい。ＡＭＦは、通常ネットワークにおいてＵＥの登録時にＵＥに対して選択され、１つのＡＭＦのみが単独のＵＥを担当する。ＡＭＦは、ＣＮのすべての要素と同様に、相互接続およびルーティング機能（ＩＲＦ）として図１に示されるルーティングインフラストラクチャを介して他のＣＮ要素と通信を行うことができる。ＡＭＦは、例えば、ユニバーサルデータ管理エンティティ（ＵＤＭ）内の加入者データ基地に接続し、登録時のＵＥの認証、加入されたサービスについての情報の受信、およびＵＥとの通信に使用されるセキュリティ証明書の取得を行う。 
【０００４】
ＵＥは、セル方式モバイルネットワークに参加するとき、（Ｒ）ＡＮに接続し、そこから選択されたＡＭＦに対してＣＮでの登録を要求する。ＡＭＦがＵＤＭと通信して、ＵＥとＡＭＦとの間の認証を取得した後、ＵＥは登録され、ＵＥはサービスを要求することができる。ＵＥとその選択されたＡＭＦとの間の論理通信インターフェースは、Ｎ１と呼ばれ、アクセスネットワークとのインターフェースとそのＡＭＦに対するＮ２とを備える。Ｎ１インターフェースは、図１において点線で示され、複数の異なる物理インターフェースを通じてその論理的特徴を強調している。データネットワーク（ＤＮ）へのデータ配信を行う必要がある場合（例えば、インターネットへのデータ配信）、ＵＥは、適切な接続（いわゆるＰＤＵセッション）のセットアップを、（Ｒ）ＡＮからＮ３インターフェースを介して１または複数のユーザプレーン機能（ＵＰＦ）およびそこからＮ６インターフェースを介してデータネットワークに要求する。ＵＰＦにおける適切なコンテキストのアクティブ化およびネットワークリソースの割り当ては、Ｎ４インターフェースを通じてセッション管理機能（ＳＭＦ）によって行われる。ＳＭＦは、加入者データ、コンタクトされるデータネットワークおよび現在のネットワーク負荷に従って、ＡＭＦにより選択される。アプリケーション機能（ＡＦ）は、ネットワークのポリシーを提供してよく、データネットワーク内のアプリケーションサーバと通信して、ＵＥに対して提供されるサービス品質を適合させてよい。ＵＥが例えば異なるサービス品質について、または異なるネットワークアドレスを通じて、同じデータネットワークと複数の接続のセットアップをしなければならない場合、同じまたは異なるＵＰＦが含まれてよく、および同じまたは異なるＳＭＦが担当してよい。ＵＥが異なるデータネットワークと複数の接続のセットアップをしなければならない場合も同様に、同じまたは異なるＵＰＦおよびＳＭＦが関係していてよい。一方で、そのＵＥを担当するＡＭＦは、通常１つだけである。 
【０００５】
３ＧＰＰシステムは、ＬＴＥと同様に、無線ローカルエリアネットワーク（ＷＬＡＮ）無線技術および３ＧＰＰ無線技術を密接に統合する様々な無線アクセス機構を定義する。これは、ライセンスフリーアクセス技術がサービスを提供するオペレータに結びつけられることができるため、ネットワークオペレータにとって好都合である。これらの機構の例は、ＬＴＥ−ＷＬＡＮアグリゲーション（ＬＷＡ）およびＩＰｓｅｃトンネルを有するＬＴＥ  ＷＬＡＮ無線レベルインテグレーション（ＬＷＩＰ）と呼ばれる。ＧＢ２  ５４１  ３９２  Ａは、ＬＷＡの例を説明する。また、３ＧＰＰ  ＴＲ  ２１．９１４  Ｖ０．３．０は、ＬＷＡの態様はもちろん、ＬＷＩＰの態様も説明する。
【０００６】
両機構は、基地局とＵＥとの間のデータ交換のために並行してＬＴＥおよびＷＬＡＮを使用する。ＬＴＥ無線インターフェースは、制御およびユーザデータの交換のために使用されるのに対して、ＷＬＡＮ無線インターフェースは、ユーザデータの交換のためだけに使用される。ＵＥは、ｅＮＢに対して、そのＵＥがＬＷＡ、ＬＷＩＰおよびＷＬＡＮに基づく測定についての詳細を実行する能力を示す。ｅＮＢは、各パラメータ（周波数帯域、ＳＳＩＤ、セキュリティパラメータ）を有するＷＬＡＮアクセスポイントのセットである、いわゆるＷＬＡＮモビリティセットを構成してよく、その各パラメータ間において、ＵＥは、ｅＮＢへのＷＬＡＮ接続を維持しつつ移動してよい。
【０００７】
ＬＷＡについて、ＷＬＡＮアクセスポイントは、ＬＴＥ基地局（ｅＮｏｄｅＢ、ｅＮＢ）内で統合されてもよく、ｅＮＢに接続されてもよい。ｅＮＢは、ＷＬＡＮアクセスポイントのグループに接続されてよい。ベアラを通じたデータ転送は、ＬＴＥとＷＬＡＮとの間で切り替えられてよい。すなわち１つのベアラについて、アクセス技術ＬＴＥまたはＷＬＡＮの１つのみが一度に使用される。またはベアラが分かれてよい。すなわち、両アクセス技術が同時に使用されてよい。
【０００８】
ＬＷＩＰについて、基本原理は同じである。ＬＷＡとの主な差は、ＬＷＩＰのためにレガシＷＬＡＮアクセスポイントを使用できる。すなわち、現在マーケット上にあるアクセスポイントについて変化を必要としない。ＷＬＡＮアクセスポイントは、ＩＰｓｅｃトンネルを介してｅＮＢに結びつけられている。このシナリオでは、ベアラ切り替えだけがＬＷＩＰのために使用される（すなわち、分けられたベアラはサポートされない）。
【０００９】
将来、専用の（オペレータ所有の）周波数帯域に配備されるセル方式のネットワーク無線アクセス技術を、ＷＬＡＮと同様に利用可能な周波数帯域を自由に用いる無線アクセス技術と密接に結合させる他の技術が指定されてよい。 密接な結合は、セル方式無線アクセスネットワークによって実行される。すなわち、それはコアネットワークから完全に隠される。その場合、ＣＮについて、ＵＥは、アクセスネットワークがＷＬＡＮ分布に関係しているか否かに関わらず、３ＧＰＰの無線アクセスネットワークを介して接続される。
【００１０】
セル方式モバイルネットワークは、図１にすでに示されるように、一般にアクセスネットワークおよびコアネットワークからなる。アクセスネットワークは主に、モバイル装置に対して、例えばＧＳＭ（登録商標）、ＵＭＴＳまたはＬＴＥを介してセル方式無線アクセスを提供する。更なるアクセスネットワークは、例えばＷＬＡＮなどの短距離無線アクセス、または固定若しくは衛星アクセスを介して、モバイルまたは固定装置へのアクセスを提供してよい。アクセスネットワークは通常、装置への無線接続をセットアップ、制御および維持するための完全な機能を提供する。
【００１１】
コアネットワークは、アクセス固有ではない機構、例えば装置および／または加入者の認証、権限付与およびアカウント（ＡＡＡ）、アクセスネットワーク間の移動性並びにアクセスネットワークとデータネットワーク外との間のルーティングを提供する。
【００１２】
ＵＥが同時に異なるアクセスネットワークを介して、例えばＬＴＥおよびＷＬＡＮを介して、コアネットワークにアクセスしている場合、個々のアクセスネットワークは通常、使用される任意の他のアクセスネットワークについて認識していない。すなわちアクセスネットワークは、互いに独立して配備される。モバイルネットワークの次世代、いわゆる第５世代（５Ｇ）ネットワークにおいては、アクセスネットワークとコアネットワークとの間を厳格に隔離することは、ネットワークの独立したスケーラビリティを可能とするために重要である。
【００１３】
３ＧＰＰは、例えば、ＧＳＭ（登録商標）、ＵＭＴＳ、ＨＳＰＡ、ＬＴＥ、ＬＴＥ−Ａおよび近い将来において５Ｇアクセスネットワークといった、３ＧＰＰコアネットワークにアクセスするための様々なアクセスネットワークを定義する。これらのネットワークは、３ＧＰＰコアネットワークの管理下で具体的に作動するように開発されている。基地局の各々は、コアネットワークのセキュリティ機構をサポートし、コアネットワークのオペレータまたは信頼されるサードパーティによってセットアップされ、維持される。その結果、３ＧＰＰアクセスネットワークは、コアネットワークによって信頼されることができる。
【００１４】
加えて、３ＧＰＰコアネットワークは、任意の信頼されるオペレータによってセットアップされ、かつ維持されなくてよいアクセスネットワークをサポートするようにセットアップされる。ここでアクセスネットワークは、オペレータのドメイン外にあってもよい。これらのアクセス技術は、まとめて非３ＧＰＰアクセス（Ｎ３ＧＰＰ）と呼ばれる。コアネットワークとアクセスネットワークとの間に信頼関係がない場合、これらのアクセス技術は、信頼されないＮ３ＧＰＰアクセスと呼ばれてよい。
【００１５】
図２には、（Ｒ）ＡＮおよびＮ３ＧＰＰアクセス技術を含むネットワークアーキテクチャ例が図示される。図は、３ＧＰＰアクセス技術（（Ｒ）ＡＮ）を介してＣＮへのアクセスを提供する図１のネットワーク要素を示す。加えて、図２は、非３ＧＰＰアクセス（Ｎ３ＧＰＰアクセス、例えば、ＷＬＡＮ）を介してＣＮに接続される図１のＵＥを示す。ＷＬＡＮは、信頼されないノードである。従って、ＷＬＡＮ自体は、複数の信頼されない非３ＧＰＰアクセスネットワーク（図２では、１つだけを示す）が集まる可能性がある非３ＧＰＰアクセスインターワーキング機能（Ｎ３ＩＷＦ）に接続する。Ｎ３ＩＷＦは、オペレータによって維持されてよい装置であり、従って信頼されてよい。
【００１６】
５Ｇコアネットワークへの非３ＧＰＰアクセスの標準化の現在の状態は、信頼されないＮ３ＧＰＰアクセス、例えば、ＷＬＡＮを介してＵＥからコアネットワークにアクセスするべく実行される、以下の機能を説明する。
【００１７】
ＵＥは、ＷＬＡＮアクセスポイントからＩＰ接続性を獲得し、Ｎ３ＩＷＦの選択を実行する。 
【００１８】
ＵＥは、ＵＥのＵＩＣＣから事前に共有される暗証を用いて選択したＮ３ＩＷＦと、セキュリティアソシエーションを確立する。Ｎ３ＩＷＦは、適切なＡＭＦを選択し、ＵＥまたはその各々の加入者を認証するように求め、セキュリティ証明書を受信する。これらの認証情報は、ＵＩＣＣによって生成されるものの対応物であり、ＵＥとのセキュリティアソシエーションのためのベースを構築する。ＵＥおよびＮ３ＩＷＦは、ＩＰｓｅｃトンネルをセットアップする。これによりＵＥは、信頼されないＷＬＡＮを通じてＮ３ＩＷＦと安全に通信することができる。
【００１９】
Ｎ３ＩＷＦは、Ｎ２インターフェースを通じて、ＡＭＦと通信する。このインターフェースは、アクセスネットワークとＡＭＦ機能との間の一般的なアクセス独立インターフェースである。すなわち、このインターフェースは、５Ｇ基地局をＡＭＦ機能に接続するＮ２インターフェースと基本的に一致する。一度ＵＥとＮ３ＩＷＦとの間のＩＰｓｅｃトンネルおよびＮ２インターフェースが安全にセットアップされれば、ＵＥは、それとＡＭＦとの論理的接続を構成する経路、いわゆるＮ１を有する。この経路は、（Ｒ）ＡＮを通じて確立されるＮ１インターフェースへの代替経路であってよい。
【００２０】
ＵＥは、信頼されないＷＬＡＮを通じてアップ機能を介してデータネットワーク（ＤＮ）との接続をセットアップするように直ちに要求してよい。
【００２１】
上述のように、３ＧＰＰシステムは、３ＧＰＰ無線アクセス技術に加えてＷＬＡＮアクセスを、２つの完全に異なる方法で提供する。第１の方法は、３ＧＰＰアクセスネットワークの管理下で、ＷＬＡＮおよび３ＧＰＰアクセス技術を密接に結合させる。この方法は、基本的にはコアネットワークから見えない。第２の方法は、３ＧＰＰによる無線制御を用いないが、ＵＥとＮ３ＩＷＦとの間の追加のセキュリティを用いて、Ｎ３ＩＷＦを通じてＷＬＡＮを介してコアネットワークに代替的にアクセスする。この方法は、例えば３ＧＰＰなどの他のアクセス技術から独立している。
【００２２】
現在の、またおそらく将来のモバイル装置は、ＩＥＥＥ  ８０２．１１規格ファミリのＭＡＣおよびＰＨＹを含む統合されたＷＬＡＮモジュールならびにＷＬＡＮ無線周波数帯域の各々に適した無線周波数層および１または複数のアンテナを介して、ＷＬＡＮアクセス能力を提供するだろう。
【００２３】
ＷＬＡＮアクセス技術の特徴により、一度に複数のアクセスポイントへの接続のために、１つのＵＥに実装された１つのＷＬＡＮモジュールを使用できないが、少なくともそれぞれの接続に重大な制約はある。言い換えると、モバイル装置内で統合されたＷＬＡＮモジュールは、単独のアクセスポイントに接続することを提供するが、２以上のアクセスポイントに接続することを提供できない。
【００２４】
その結果、統合されたＷＬＡＮ通信能力を有し、ＷＬＡＮと３ＧＰＰアクセス技術との密接な結合およびＮ３ＩＷＦを通じた３ＧＰＰ  ＣＮへのＷＬＡＮアクセスの両方の技術が実装されたモバイル装置は、一度にこれらの特徴のうちの１つのみを提供できるかもしれないが、一度に両方は提供できないかもしれない。したがって、両方法の使用を能動的に制御し、または調整して、ＷＬＡＮに基づくアクセス技術を通じて３ＧＰＰコアネットワークに接続する手段はない。
【００２５】
３ＧＰＰ  ＴＳ  ２３．４０２は、ＬＷＡ／ＬＷＩＰに対するＷＬＡＮ能力の使用およびＷＬＡＮを通じたＣＮへのＮ３ＧＰＰアクセスについて、競合する構成と遭遇するＵＥの固定動作を説明するにすぎない。その仕様の解決手段、すなわち現在の公共のおよび配備される解決手段は、ＵＥのユーザによる選択がネットワークの制御に優先するという優先順位に基づく。ユーザが選択を実行しない場合、アクセスネットワークに対するＷＬＡＮの密接な結合がＣＮへのＷＬＡＮアクセスより優先される。
【００２６】
そのような構成は、ＷＬＡＮモジュールがアクセスネットワーク、コアネットワークおよびおそらく３ＧＰＰの範囲外の他のネットワーク（例えば、プライベートＷＬＡＮネットワーク）の間で共有される数少ないリソースであるという異なる使用シナリオで動作および反応する調整および制御機能を提供しない。
【００２７】
ＵＳ２００９／００８０３９１Ａ１は、コアネットワークおよび無線アクセスネットワーク、並びに複数のベアラについてのＱｏＳが取り決められているＷＬＡＮネットワークについて説明している。ＵＳ２０１６／０２１９４７０Ａ１は、ＬＴＥ−ＷＬＡＮインターワーキング制御および管理のためのＰＤＮ接続のオフローダビリティについて説明している。ＵＳ２０１４／０３４１１３８Ａ１は、非３ＧＰＰアクセスと進化したパケットコアとの間でインターワーキングする場合のアドレス割り当ての延期について説明している。ＵＳ２００７／０２４９３５２Ａ１は、インターアクセスシステムハンドオーバにおける認証手順を最適化するシステムおよび方法について説明している。
【００２８】
特に、密接に結合した（Ｒ）ＡＮまたはＮ３ＧＰＰ  ＣＮアクセスのいずれかにＷＬＡＮ能力を付与する占有に基づく決定を可能とし、占有の変化またはリソース割り当てに基づく決定を再評価することを可能にするフレキシブルまたは動的な方法は、知られていない。
【発明の概要】
【課題を解決するための手段】
【００２９】
本発明は、ユーザ機器、ＵＥ、装置とコアネットワークとの接続を管理する方法を提供する。上記ＵＥ装置は、移動体通信システムネットワークを用いて上記コアネットワークへの接続を確立し、かつ上記移動体通信システムネットワーク以外のネットワークを介して上記コアネットワークへの接続を確立することが可能であり、上記方法は、上記移動体通信システムネットワーク以外のネットワークを介して、上記コアネットワークへの第１の接続の確立を完了する段階と、上記移動体通信システムの基地局から、上記移動体通信システムネットワーク以外のネットワークを介して、上記基地局への第２の接続を確立する要求を受信したことに応答して、上記第１の接続の一時停止を上記コアネットワークに通知する段階と、上記第１の接続を将来再開するために、上記第１の接続のコンテキスト情報を記憶する段階とを備える。
【００３０】
更なる態様において、本発明は、ユーザ機器、ＵＥ、装置との接続を管理する移動体通信システムネットワークのコアネットワークエンティティにおける方法を提供する。上記移動体通信システムネットワークは、上記移動体通信システムネットワークを介して、上記ＵＥ装置と上記コアネットワークとの第１の接続を確立する基地局と、上記移動体通信システムネットワーク以外のネットワークを介して、上記ＵＥ装置と上記コアネットワークとの第２の接続を確立するインターワーキング機能とを備え、上記方法は、上記インターワーキング機能を介して、上記ＵＥ装置との上記第２の接続を確立する段階と、上記ＵＥ装置からメッセージを受信したことに応答して、上記インターワーキング機能を介した上記第２の接続を一時停止する一方で、上記第１の接続を介して上記ＵＥ装置と通信しながら、上記第２の接続の再開を延期する上記第２の接続のコンテキスト情報を記憶する段階とを備える。
【００３１】
本発明のすべての態様について、ＵＥは、移動体通信システムの１または複数のアクセスネットワークを介して、例えば、ＲＡＮを介して、移動体通信システムのコアネットワークにアクセスできるということを事前に仮定している。加えて、ＵＥは、完全には移動体通信システムの管理下ではない１または複数のネットワーク（Ｎ３ＧＰＰ）、例えばＷＬＡＮを介して、コアネットワークにアクセスできる。ＲＡＮおよびＮ３ＧＰＰという用語は、モバイルネットワークで制御されたアクセス技術とモバイルネットワークで制御されていない技術とを区別するために、以下のように使用される。Ｎ３ＧＰＰは、ＷＬＡＮであってよいが、本発明は、いかなる特定のアクセス技術にも限定されない。すなわち、制限されたリソースを構成し、ＲＡＮにおいて使用されるか、またはＣＮに直接アクセスするために使用されるかいずれか一方ではあるが両方ではない他の技術もまた使用されることができる。
【００３２】
ネットワーク登録時若しくは無線リソース接続セットアップ時のいくつかの時点で、または類似の手順内で、ＵＥは、ＲＡＮに対するその無線能力を送信する。その能力は、密接に結合したＲＡＮおよびＷＬＡＮの統合を実行するＵＥ能力についての情報を備える。ＵＥはまた、ＷＬＡＮを介してＣＮにアクセスするときにＵＥをサポートする情報を記憶してよい。そのサポート情報は、ＵＥがそのような情報を要求した結果として、またはＣＮにＷＬＡＮアクセス能力情報を提供した結果として、これまでの登録手順において、または登録手順後にＣＮから受信されていてよい。代替的に、サポート情報は、ＵＩＣＣに記憶するか、ＵＩＣＣにインプリントされて受信されるか、ネットワークからＵＩＣＣへの伝送を介して、モバイルネットワークから受信されてもよい。
【００３３】
本発明の第１の態様において、ＵＥは、ＷＬＡＮを介するコアネットワークへのＮ３ＧＰＰ接続を有し、ＵＥがＲＡＮの基地局から、基地局とのＷＬＡＮ接続をセットアップする要求を受信したことに応答して、ＵＥは、ＷＬＡＮを介するＮ３ＧＰＰ接続の一時停止についての情報をコアネットワークに提供し、ＵＥは、Ｎ３ＧＰＰ接続についてのコンテキスト情報を記憶する。
【００３４】
言い換えると、Ｎ３ＧＰＰ接続がＵＥとコアネットワークとの間でセットアップされる間、基地局はＵＥに対して基地局とのＷＬＡＮ接続をセットアップするように要求する。ＵＥとコアネットワークとの間のコンテキストをリリースする、または基地局とのＷＬＡＮ接続を拒否する代わりに、ＵＥは、コアネットワークに接続の停止を通知し、双方は各々のコンテキストを保持する。これにより、ＵＥおよびコアネットワークは、ＷＬＡＮモジュールがＲＡＮによって解放されるとき、接続の再確立などの時間を無駄にすることなく迅速に接続を再開することができる。
【００３５】
基地局からの要求は、少なくとも一部はＷＬＡＮを介して、例えばＬＷＡまたはＬＷＩＰの特徴に従って、基地局との接続をセットアップすることを備える、基地局からの構成メッセージであってよい。コアネットワークに情報を提供する段階は、Ｎ３ＧＰＰ接続を通じて、ＷＬＡＮを介して行われてよい。コアネットワークに情報を提供する段階は、ＲＡＮを通じて行われてよい。ＵＥは、コアネットワークを説明された方法で通知するように、Ｎ３ＧＰＰ接続セットアップにおいてコアネットワークによって構成されてよい。
【００３６】
ＵＥは、Ｎ３ＧＰＰ接続を通じて、ＷＬＡＮを介してコアネットワークのエンティティ（Ｎ３ＩＷＦ）へのＩＰｓｅｃ接続をセットアップし、かつ維持する。維持する段階は、エンティティにキープアライブメッセージを送信して、ＵＥとエンティティとの間のユーザデータの交換がない場合に接続の活発さを判定する段階と、ＵＥが、ＷＬＡＮを介してＮ３ＧＰＰ接続を停止している間にキープアライブメッセージの送信を停止する一方で、ＩＰｓｅｃコンテキストを維持および記憶する段階とを含む。
【００３７】
言い換えると、記憶され、かつ接続の再開時に再記憶されるコンテキストは、再開後にセキュリティアソシエーションをセットアップする時間を節約するためのＩＰｓｅｃセキュリティアソシエーションである。
【００３８】
本発明の第２の態様において、基地局へのＷＬＡＮ接続をリリースすることに応答して、ＵＥは、Ｎ３ＧＰＰ接続が停止するまでに使用されていたＷＬＡＮを用いて、ＷＬＡＮを介してコアネットワークへのＮ３ＧＰＰ接続を再開する。
【００３９】
言い換えると、ＵＥのＷＬＡＮがＲＡＮによって使用されない場合、その後にＮ３ＧＰＰ接続は、停止していたところから復元される。
【００４０】
ある実施形態において、ＵＥは基地局から閾値を受信し、閾値を超える、または閾値を下回るＷＬＡＮ信号の測定結果に基づいて、自律的にＷＬＡＮ接続をリリースする。言い換えると、ＵＥは、ＷＬＡＮ信号強度と受信した閾値とを比較して、比較に基づいて基地局とのＷＬＡＮ接続を自律的に中断する。ＷＬＡＮ信号は、基地局のＷＬＡＮと、Ｎ３ＧＰＰ接続を再開するのに適切な１または複数のＷＬＡＮとを含むことができる。これにより、ＵＥは、２つの使用シナリオにおける、ＵＥのＷＬＡＮ能力の品質および期待される利益を比較することができる。ＵＥは、基地局に測定結果を提供する。測定結果は、ＷＬＡＮを介してＮ３ＧＰＰ接続を再開するのに適切なＷＬＡＮの信号の測定結果を含み、それに応答して、ＵＥは、基地局とのＷＬＡＮ接続をリリースする要求を基地局から受信する。言い換えると、基地局は、少なくとも部分的にＮ３ＧＰＰ  ＷＬＡＮの受信品質に依存する、ＲＡＮに基づくＷＬＡＮ接続を中断するようにＵＥに要求する。これにより、ＲＡＮは、密接に結合したＷＬＡＮを用いた場合の利益と、Ｎ３ＧＰＰ接続を介してトラフィックをオフロードすることで期待される利益とを比較することができる。この方法はまた、Ｎ３ＧＰＰ  ＷＬＡＮがホームＷＬＡＮである場合に適用されてよい。言い換えると、測定結果報告を介して、ＲＡＮにホームＷＬＡＮの受信品質が通知されてよく、これに基づいて、ＲＡＮは、ＷＬＡＮインターワーキング接続をリリースして、ＵＥのＷＬＡＮハードウェアを、ユーザのホームＷＬＡＮでの使用のために解放してよい。この原則は、もちろん、任意の既知の公共またはプライベートのＷＬＡＮホットスポットに対しても適用可能である。
【００４１】
本発明の更なる態様において、基地局とのＷＬＡＮ接続をリリースしたことに応答して、ＵＥは、ＣＮとのＮ３ＧＰＰ接続を再開するのに適切なＷＬＡＮを決定し、その適切なＷＬＡＮに接続し、そのコアネットワークとのＮ３ＧＰＰ接続を再開する。
【００４２】
言い換えると、ＵＥのＷＬＡＮがＲＡＮによって使用されない場合、その後にＮ３ＧＰＰ接続は、Ｎ３ＧＰＰを再開するためのＷＬＡＮの適合性の決定後に選択された異なるＷＬＡＮを用いて、復元される。
【００４３】
本発明のより更なる態様において、基地局とのＷＬＡＮ接続をリリースしたことに応答して、ＵＥは、コアネットワークとのＮ３ＧＰＰ接続を再開するのに適切なＷＬＡＮがないと判定し、ＵＥは、リリースする（または再開可能でない）Ｎ３ＧＰＰ接続についての情報をコアネットワークに提供し、ＵＥは、Ｎ３ＧＰＰ接続をリリースする。
【００４４】
言い換えると、ＲＡＮによってＷＬＡＮ能力をリリースした後にＮ３ＧＰＰ接続を再開するのに適切なＷＬＡＮが利用可能でない場合、ネットワークは、記憶されたコンテキストの各々を削除できるように通知を受けて、ＵＥは記憶したコンテキストを削除する。Ｎ３ＧＰＰ接続をリリースする段階は、ＵＥに記憶したコンテキスト情報を削除する段階を含む。
【００４５】
本発明の更なる態様においては、ＵＥは、コアネットワークから（例えばＷＬＡＮを介したＮ３ＧＰＰ接続のセットアップの一部として）タイマ値を受信し、ＷＬＡＮを介してＮ３ＧＰＰ接続を停止したことに応答して、タイマを開始させ、受信されたタイマ値に従ってタイマの期限が切れるとき、Ｎ３ＧＰＰ接続をリリース（して、記憶したコンテキスト情報を削除）する。
【００４６】
言い換えると、Ｎ３ＧＰＰ接続を再開するためにＵＥおよびネットワークに記憶されるコンテキストは、特定の時間、コアネットワークによって指定および構成された時間だけ有効である。 
【００４７】
本発明の一態様において、コアネットワークは、ＷＬＡＮを通じて少なくとも部分的にＵＥとの接続を維持し、接続の停止についての情報をＵＥから受信したことに応答して、接続に関するコンテキスト情報を記憶している間に接続を停止し、ＵＥによってトリガされたコンテキスト情報を用いて接続を再開する。
【００４８】
ここで、コアネットワークは、Ｎ３ＧＰＰ接続を経由して、ＷＬＡＮを介してＵＥとのＩＰｓｅｃ接続をセットアップし、維持する。維持する段階は、ＵＥにキープアライブメッセージを送信し、ＵＥとコアネットワークとの間で交換されるユーザデータがない場合に接続の活発さを判定する段階と、コアネットワークが、ＷＬＡＮを介してＮ３ＧＰＰ接続を停止するとき、キープアライブメッセージの伝送を停止する一方で、ＩＰｓｅｃコンテキストを維持し記憶する段階とを含む。
【００４９】
コアネットワークは、接続が再開されないだろうとの情報をＵＥから受信することに応答して、コンテキストを削除し、ＵＥとの接続をリリースする。コアネットワークは、タイマ値をＵＥに送信し、タイマ値に基づいて接続をリリースし、コンテキストを削除する。
【００５０】
ＵＥは、１つのコアネットワークとの間で少なくとも２つの接続を有し、少なくとも１つの接続は、ＷＬＡＮを介したＮ３ＧＰＰ接続であり、少なくとも別の接続は、ＲＡＮ接続である。ＵＥは、ＷＬＡＮを介した、コアネットワークを通ってデータネットワークへのＮ３ＧＰＰ接続を通じた第１の論理接続を有する。ＵＥは、第１の論理接続へのデータトラフィック負荷を決定し、基地局とのＷＬＡＮ接続をセットアップする要求をＲＡＮの基地局から受信したことに応答して、決定されたデータトラフィック負荷に基づいて、ＲＡＮの基地局からの要求を受け入れるか拒否するかを決定する。
【００５１】
言い換えると、ＰＤＵセッションが、ＵＥと、Ｎ３ＧＰＰ接続を通じてＷＬＡＮを介してルーティングするデータネットワークとの間で存在し、ＲＡＮがＷＬＡＮと基地局とを接続するように要求する場合、ＵＥは、ＰＤＵセッションを通じたトラフィックを考慮して、要求に従うか否かを決定してよい。重大なデータトラフィックが現在ＵＥとデータネットワークとの間で交換されている場合、データ伝送を妨げないために要求を拒否してよい。  本発明の他の態様において、ＵＥは、上述に類似したシナリオにおいて、Ｎ３ＧＰＰ接続を通じたＷＬＡＮを介したデータネットワークとの第１の論理接続のために、ＲＡＮを通じたデータネットワークとの第２の論理接続が確立されているか否かに基づいて、ＲＡＮの基地局からの要求を受け入れるか拒否するかを決定してよい。
【００５２】
言い換えると、ＵＥは、各データネットワークとの接続がＲＡＮを通じても存在している場合、ＷＬＡＮを介したＮ３ＧＰＰ接続を中断または停止することを受け入れるだけである。これは、Ｎ３ＧＰＰ接続がＲＡＮからデータをオフロードするために使用されていたが、おそらくサービス需要の品質および／または信頼性に起因して、いまだにＲＡＮに基づく接続が存在する場合である。その場合、ＵＥのＷＬＡＮ能力は、ＲＡＮ接続を強化し、データネットワークとのデータ交換を継続すべくそれを使用するために、使用されてよい。 
【００５３】
上述の２つの態様は、ＵＥが、ＷＬＡＮおよびＲＡＮの密接な結合技術に対して、ＵＥによって基地局へ送られるＵＥの能力情報を適合させるという点で強化されてよい。ＵＥは、ＷＬＡＮを介したＮ３ＧＰＰ接続へのデータトラフィック負荷が低い場合、またはデータネットワークとの接続のすべてについてＲＡＮを介した代替的な経路が存在する場合、密接な結合能力だけを送信してよい。あるいは、ＲＡＮは、ＵＥがＷＬＡＮインターワーキングの特徴を使用できないことを通知されるだろう。
【００５４】
ＵＥは１つのコアネットワークとの少なくとも２つの接続を有し、少なくとも１つの接続はＷＬＡＮを介したＮ３ＧＰＰ接続であり、少なくとも別の接続は、ＲＡＮ接続である。ＵＥは、ＷＬＡＮを介したコアネットワークを通ってデータネットワークへのＮ３ＧＰＰ接続を通じた第１の論理接続を有する。ＵＥは、第１の論理接続へのデータトラフィック負荷を決定し、ＲＡＮの基地局から基地局とのＷＬＡＮ接続をセットアップする要求を受信したことに応答して、ＲＡＮを通じた、コアネットワークを通ってデータネットワークへの第２の論理接続をセットアップするようにコアネットワークに要求する。
【００５５】
言い換えると、ＵＥと、Ｎ３ＧＰＰ接続を通じてＷＬＡＮを介してルーティングされるデータネットワークとの間にＰＤＵセッションが存在し、ＲＡＮがＷＬＡＮと基地局とを接続するように要求する場合、ＵＥは、ＲＡＮを介してデータネットワークへ代替的にルーティングすることをセットアップするようにコアネットワークに要求してよい。このことは、ＵＥとコアネットワークとの間のデータ転送がＲＡＮを通じて引き続き行われるという点で有益である。
【図面の簡単な説明】
【００５６】
ここで、以下の図面を参照して、もっぱら例示のために、本発明の好ましい実施形態について説明する。
【図１】アクセスネットワークおよびコアネットワークを備えるネットワークアーキテクチャの概略図を示す。
【図２】さらに詳細にアクセスエンティティを示す、図１のネットワークの概略図を示す。
【図３】第１のメッセージシーケンスチャートを示す。
【図４】第２のメッセージシーケンスチャートを示す。
【図５】第３のメッセージシーケンスチャートを示す。
【発明を実施するための形態】
【００５７】
以下において、本発明を示すメッセージシーケンスチャートについて説明する。メッセージシーケンスは、図１に図示されるネットワークと類似または同一であってよいネットワークのエンティティ間に例示的に示される。
【００５８】
図３から図５は、以下のネットワークエンティティと、以下でさらに詳細に説明される各々のメッセージとを示す。
【００５９】
ＵＥは、既知の、または開発された無線アクセス技術ＧＳＭ（登録商標）、ＵＭＴＳ、ＨＳＰＡ、ＬＴＥまたは５Ｇのうちの１または複数のセル方式モバイルネットワークにおいて通信するための手段を備えたモバイル装置であってよい。ＵＥはまた、無線ローカルエリアネットワーク（ＷＬＡＮまたはＷｉＦｉ）のような、ＩＥＥＥ  ８０２．１１規格シリーズ、Ｂｌｕｅｔｏｏｔｈ（登録商標）、ＺｉｇＢｅｅ（登録商標）などの任意の組み合わせで実装される無線短距離通信技術を備えている。
【００６０】
複数のＷＬＡＮアクセスポイントは、図のＷＬＡＮと書かれた２つのボックスとして示される。アクセスポイントは、公共のＷＬＡＮ接続、ホームＷＬＡＮ接続を提供してよい。また、アクセスポイントは、ネットワークオペレータ、例えばセル方式モバイルネットワークのオペレータによって所有され、配備されてよい。ＷＬＡＮアクセスポイントは、コアネットワークの集約ノードに少なくとも接続を提供する１または複数のネットワークへの無線アクセスを提供する。
【００６１】
集約ノードは、図の次世代パケットデータゲートウェイのためのＮ３ＩＷＦと呼ばれる。ノードは、任意のネットワーク接続、例えばＤＳＬおよびＩＰ−ネットワークを介して２つのＷＬＡＮアクセスポイントと通信することが可能である。Ｎ３ＩＷＦは、ＷＬＡＮアクセスポイントを通じてＵＥとのセキュリティアソシエーションを確立することが可能である。また、Ｎ３ＩＷＦは、オペレータのコアネットワークによって信頼され得る、コアネットワークにおいて１または複数の制御プレーン機能（ＡＭＦ  ＳＭＦ  ＵＤＭ）および１または複数のユーザプレーン機能（ＵＰＦ）と通信することが可能なノードである。制御プレーン機能およびユーザプレーン機能は、コアネットワークのネットワークノード内にある。
【００６２】
図はまた、セル方式モバイルネットワークの無線アクセスネットワーク（ＲＡＮ）を示す。ＲＡＮは、ＲＡＮ／ＢＳと呼ばれる１つのブロックに集合的に示される１または複数の基地局（ＢＳ）を含む。ＲＡＮは、コアネットワークの制御プレーンノードおよびユーザプレーンノードとも通信できる。コアネットワークがそのユーザに提供するサービスの１つは、アクセスネットワーク（ＲＡＮまたはＷＬＡＮおよびＮ３ＩＷＦ）を通じたＵＥと、１または複数のＵＰＦとの間の、図において右端のブロックとして示されるデータネットワーク（ＤＮ）へのデータサービスのプロビジョニングである。
【００６３】
以下の全ての実施形態の前提条件を、図３に示す。ＵＥは、コアネットワークへの２つの接続をセットアップする。一方は、Ｎ３ＧＰＰ（ＷＬＡＮ）を通じた接続であり、他方はセル方式無線アクセス（ＲＡＮ）を通じた接続である。２つの接続のセットアッププロセスは、ＵＥおよびネットワークによって、任意の順序で、任意の時間に、または同時に実行されてよい。図３は、第１にＮ３ＧＰＰの接続セットアップを、第２にＲＡＮの接続セットアップを例示的に示す。
【００６４】
ＵＥは、１または複数のアクセスポイントによって提供されるＷＬＡＮを選択し、ＩＰ接続性を取得する。各々のＩＰアドレスは、ＷＬＡＮアクセスポイントによって割り当てられ、Ｎ３ＩＷＦまたは任意の他のネットワークノードは、通常その目的でＤＨＣＰサービスを提供する。ＩＰアドレスは、ＵＥに伝えられる。ＵＥは、Ｎ３ＩＷＦとコンタクトをとってセキュリティアソシエーションを確立し、これによりＵＥとＮ３ＩＷＦとの間にＩＰｓｅｃトンネルをセットアップすることが可能である。セキュリティアソシエーションをセットアップするために、Ｎ３ＩＷＦは、ＵＥを認証しなければならない。従って、Ｎ３ＩＷＦは、セキュリティアソシエーション確立のためにＵＥの認証および権限付与を要求し、認証情報を受信するようにコアネットワーク、特にＡＭＦに要求する。
【００６５】
ＵＥとＮ３ＩＷＦとの間のセキュアな接続がセットアップされた場合、ＵＥは、ＵＥ−ＡＭＦ通信プロトコルに従って、メッセージをコアネットワークに送信してよい（これを、ＮＡＳメッセージと呼ぶ）。ＵＥは、Ｎ３ＧＰＰ接続を通じてネットワークに自身を登録してよい。
【００６６】
登録が成功した後、ＵＥは、サービス、例えば特定のデータネットワーク（ＤＮ）へのＰＤＵセッションのセットアップを要求してよい。コアネットワークにおける制御プレーン機能は、ＵＥからＤＮへパケットをルーティングするようにユーザプレーン機能を構成する。Ｎ３ＩＷＦは、パケットをルーティングするために適切なフィルタまたはルールが提供されてよく、データ転送は、ＵＥとＤＮとの間で生じてよい。
【００６７】
コアネットワークへのＲＡＮ接続をセットアップするために、ＵＥは、ＲＡＮへの接続（これを、ＲＲＣ接続と呼ぶ）のセットアップを要求する。ＲＲＣ接続のセットアップにおいて、ＵＥは、ＬＷＡ、ＬＷＩＰまたはＲＡＮレベルでＷＬＡＮとセル方式無線アクセスとを結合させる任意の他の技術を実行する能力を含むＵＥの能力についてＲＡＮに通知してよい。確立されたＲＲＣ接続を用いて、ＵＥは、コアネットワークにＲＡＮ接続を登録することができ、上述の通りサービスを要求することができる。例えば、図３に図示されない別のデータネットワークへのデータ転送サービスが要求され、許可される。
【００６８】
ここで、図４に着目すると、データ転送は、ＵＥとデータネットワークとの間で継続されてよい。ステップ１から手順を開始する。ＲＡＮは、ＵＥがサポートするように示したＷＬＡＮインターワーキング技術のうちの１つを使用するように、ＵＥを構成する。構成は、新しい構成を適用する開始時間を含んでもよく、構成は、すぐに開始されてもよい。
【００６９】
本実施形態によれば、ＵＥは、Ｎ３ＧＰＰ接続を停止する必要性についてコアネットワークに通知する。ＵＥは、メッセージを送信し、ＵＥがＷＬＡＮアクセスを通じて有するすべての論理的接続に適用可能なＮ３ＧＰＰ接続停止についてＡＭＦに通知してよい。または、ＵＥは、停止によって影響を受けるすべてのＰＤＵセッションに加えて、Ｎ１インターフェースをＮ３ＧＰＰを通じてＡＭＦに示す。 
【００７０】
停止情報を含む１または複数のメッセージは、新しいＲＡＮ構成が適用されるまで、ＵＥによってＮ３ＧＰＰアクセスを通じてＡＭＦに送られてよい。このメッセージは、次にＮ３ＩＷＦを通過するだろう。そしてこのエンティティは、メッセージにすぐに反応してよい。代替的に、ＡＭＦはステップ３で、ＵＥへの接続停止についてＮ３ＩＷＦに通知する。 
【００７１】
ＡＭＦへの（１または複数の）メッセージは、代替的にＲＡＮを通じてＵＥによって送られてよい。特に、基地局からの構成が迅速に適用されたことによりＷＬＡＮを通じてメッセージを送信する時間がない場合、この代替案が適用されるだろう。ＵＥでは、基地局とのＷＬＡＮ通信を確立することが必要となるまでの残りの時間に応じて、ＡＭＦにメッセージを送信する方法を決定することが予測されてよい。その結果、この場合、停止についてＮ３ＩＷＦに通知するために、ステップ３が必要となる。
【００７２】
停止の結果、Ｎ３ＩＷＦは、セキュリティアソシエーションを保持し、またＵＥへのキープアライブメッセージの送信を停止する。言い換えると、Ｎ３ＩＷＦは、セキュリティアソシエーションを削除しないで、ＵＥが到達不可能になることを受け入れる。Ｎ３ＩＷＦは、タイマを始動してよく、その後、セキュリティアソシエーションを含む、ＵＥについてのすべてのコンテキストが削除される。 
【００７３】
ＡＭＦも同様に、Ｎ３ＧＰＰ接続についてのＵＥのすべてのコンテキスト情報を保持する。これによりＵＥは、Ｎ３ＩＷＦへのＷＬＡＮ接続の再確立後に、ＡＭＦと通信してよい。ＡＭＦはまた、（ステップ３の前または後に生じてよい）ステップ４において、ＰＤＵセッションのそれぞれを停止する、すなわちデータネットワークから受信したデータをＵＥに転送しないが、データを記憶して、ＡＭＦに中断中のダウンリンクデータについて通知することに関係するユーザプレーン機能に通知する。
【００７４】
ＵＥは、ある時点で、基地局によって要求されるＲＡＮ／ＷＬＡＮインターワーキングを確立するだろう。このステップは、よく知られているため、番号は付されず、ＵＥが基地局から構成を受信した後であればいつでも生じてよい。
【００７５】
図４において横二重線で示されるように、ある時点の後に、ＲＡＮは、ＷＬＡＮインターワーキングをリリースしてよい。様々な理由により、ＲＡＮ−ＷＬＡＮ結合がリリースされてよい。その理由は、ＲＡＮを通じて運ばれるデータ量が減少するか、基地局へのＷＬＡＮ接続がその品質基準を満たしていないこと、または例えばハンドオーバのためＲＡＮへの接続を変更しなければならず、その変更後に利用可能なＷＬＡＮインターワーキングがないことかもしれない。基地局は、例示的に図４のステップ５においてＷＬＡＮ接続のリリースを指示する再構成をＵＥに送信してよい。
【００７６】
ここで、ＵＥおよびＮ３ＩＷＦが記憶するコンテキストによって、停止したところからＮ３ＧＰＰ接続を再開することができる。同じＷＬＡＮが利用可能であり、信号強度が十分である場合、ＵＥは、同じＷＬＡＮを直接使用してＮ３ＩＷＦおよびＡＭＦとコンタクトをとり、ステップ６ａにおいて接続を再開してよい。代替的に、ＵＥは、別のＷＬＡＮを選択する。ＵＥは、Ｎ３ＩＷＦおよびＡＭＦとコンタクトをとってステップ６ｂにおいて接続を再開できるようになる前に、まずＩＰ接続性を取得する必要があるかもしれない。ユーザプレーン機能はＰＤＵセッションのそれぞれの再開についての通知を受ける。そして、データ転送が生じ得る。
【００７７】
図５には、代替的アプローチが例示的に図示される。ここでは、図３の手順が発生し、ＵＥと少なくとも１つのＤＮとの間で、ＷＬＡＮを介したＮ３ＧＰＰ接続を通じてデータ転送が行われると再度仮定している。
【００７８】
ステップ１において再度ＲＡＮは、ＵＥがサポートするように示したＷＬＡＮインターワーキング技術のうちの１つを使用するように、ＵＥを構成する。 
【００７９】
再構成を受信したことに応じて、ＵＥは、ＤＮとのデータ転送能力を失わないようにするため、ＲＡＮを通じたＤＮへの追加のＰＤＵセッションをセットアップするように要求する。要求は、ステップ２ａにおいてＮ３ＧＰＰ接続を通じて、またはステップ２ｂにおいてＲＡＮを介して送られてよい。それに続いて、ＵＥは、影響を受けたＰＤＵセッションのリリースを、ステップ３ａにおいて、Ｎ３ＧＰＰを通じて、またはステップ３ｂにおいてＲＡＮを介して要求してよい。
【００８０】
ステップ２ａと３ａ、または２ｂと３ｂの代わりに、それぞれ、ＵＥは、影響を受けたＰＤＵセッションのアクセス技術をＮ３ＧＰＰからＲＡＮへ変更（または、言い換えればＮ３接続を変更）するように要求してよい。この代替案については、図５に示されていない。それは、ステップ２と３とを組み合わせて、Ｎ３ＧＰＰまたはＲＡＮを介して送信されるＰＤＵセッション修正要求と呼ばれる新しいステップ２'になるだろう。
【００８１】
ネットワークは、その結果、ステップ４においてＮ３ＩＷＦに通知して、セキュリティアソシエーションまたはＵＥとのＩＰｓｅｃトンネルをリリースしてよい。ネットワークは、Ｎ３ＩＷＦ内でのタイマに基づく、またはキープアライブメッセージに基づくデッドピア検出に頼って、ステップ４をしなくてもよい。
【００８２】
ネットワークはまた、ステップ５においてＮ３ＧＰＰ接続のリリースによって影響を受けるＰＤＵセッションをリリースしてよい。
【００８３】
ステップ６において、要求された代替的なＰＤＵセッションは、ＵＥとデータネットワークとの間にＲＡＮを通じてセットアップされる。このステップは、ステップ５（リリースとセットアップとが同時）を含んでよい。またステップ６は、ＰＤＵセッション修正を含んでよい。ＰＤＵセッション修正において、Ｎ３ＩＷＦの代わりにＲＡＮを介した、ＵＰＦからＵＥへの経路を反映させるために、データネットワークへの既存のＰＤＵセッションが修正される。
【００８４】
データ転送は、ＰＤＵセッションのセットアップまたは修正が成功した後、ＵＥとＤＮとの間で継続することができる。ＲＡＮを通じたデータ転送がＷＬＡＮを使用するかＲＡＮ内のセル方式の技術を使用するかは、ＲＡＮが決定する。両方の技術の密接な結合は、両方が可能となり、この決定は、本発明の態様ではない。
【００８５】
いずれの図にも示されない代替的アプローチとして、図４および図５に示される手順の組み合わせがある。ＵＥは、図５のステップ２ａ／ｂに示されるように、ＲＡＮを介したＤＮへの新しいＰＤＵセッションのセットアップを要求することを決定してよいが、それでもやはりＷＬＡＮを介してＮ３ＧＰＰを経由するＰＤＵセッションを再開して、ＰＤＵセッションをリリースしないように要求してよい。これにより、一度ＲＡＮがＷＬＡＮ接続をリリースすると、ＵＥはＮ３ＧＰＰを介してＷＬＡＮのオフロードに対して迅速にフォールバックできるようになり、新しく確立したＤＮとのＰＤＵセッションをカバーするためのリソースを十分に持っていなくてもよい。
【００８６】
ＲＡＮがＷＬＡＮインターワーキングを要求した結果、ＵＥが新しいＰＤＵセッションのセットアップを要求するかどうかについては、ＰＤＵセッションのそれぞれに対するトラフィック負荷に基づいてＵＥにおいて決定されてよい。 
【００８７】
ＰＤＵセッションを停止して、および／またはＮ３ＩＷＦタイマを緩和して、ＵＥが限られた時間だけ到達できないようにするという全体のアイデアは、ＲＡＮに基づくＷＬＡＮインターワーキングの障害に備えるという目的のためだけにも展開されてよい。つまり、ＵＥは、ＷＬＡＮインターワーキング技術を開始する構成をＲＡＮから受信し、ＷＬＡＮインターワーキングが動作していない場合に、ＷＬＡＮを介したＮ３ＧＰＰ接続をリリースするまで、ＵＥがＮ３ＧＰＰ接続を使用することが可能になることだけを「待つ」ように、Ｎ３ＩＷＦおよび／またはＡＭＦに通知してよい。これは、基地局がＵＥから提供された古い測定結果または不十分な測定結果に基づいてその決定を下す場合に当てはまるかもしれない。その手順は、図３および４に関して説明されたものと全く同じに見えるだろう。タイマだけが短く設定され、ＵＰＦは、ＰＤＵセッションの停止について通知されなくてよい。代わりに、Ｎ３ＩＷＦだけがＵＥの短い不在時間を可能とし、その後ＵＥは戻ってセキュリティアソシエーションおよびＮ３ＧＰＰを通じたＡＭＦへの登録を再利用することができる。
［項目１］
移動体通信システムネットワークを用いてコアネットワークへの接続を確立し、かつ上記移動体通信システムネットワーク以外のネットワークを介して上記コアネットワークへの接続を確立することが可能なユーザ機器（ＵＥ）装置と上記コアネットワークとの接続を管理する方法であって、
上記移動体通信システムネットワーク以外のネットワークを介して、上記コアネットワークへの第１の接続の確立を完了する段階と、上記移動体通信システムの基地局から、上記移動体通信システムネットワーク以外のネットワークを介して、上記基地局への第２の接続を確立する要求を受信したことに応答して、上記第１の接続の一時停止を上記コアネットワークに通知する段階と、上記第１の接続を将来再開するために、上記第１の接続のコンテキスト情報を記憶する段階とを備える、方法。
［項目２］
上記ＵＥ装置は、上記第１の接続を将来再開するために、上記第１の接続のコンテキスト情報を記憶する間、上記基地局を介して上記コアネットワークと通信する、項目１に記載の方法。
［項目３］
上記基地局からの上記要求は、構成メッセージである、項目１または２に記載の方法。
［項目４］
上記通知する段階は、上記第１の接続を通じて実行される、項目１から３のいずれか一項に記載の方法。
［項目５］
上記通知する段階は、移動体通信接続を通じて実行される、項目１から３のいずれか一項に記載の方法。
［項目６］
上記ＵＥ装置は、上記コンテキスト情報としてＩＰｓｅｃコンテキスト情報を記憶する、項目１から５のいずれか一項に記載の方法。
［項目７］
上記第２の接続は、信号レベルの測定結果に基づいて、または上記基地局からの要求に応答して、上記ＵＥ装置によって自律的にリリースされてよい、項目１から６のいずれか一項に記載の方法。
［項目８］
上記第１の接続が、上記第２の接続をリリースした後に再確立されることができない場合、上記ＵＥ装置は、上記コアネットワークに情報を提供して上記移動体通信システムを介して上記第１の接続をリリースする、項目１から７のいずれか一項に記載の方法。
［項目９］
上記コンテキスト情報は、予め定められた時間記憶され、上記一時停止が上記予め定められた時間を超えた場合に削除される、項目１から８のいずれか一項に記載の方法。
［項目１０］
ユーザ機器（ＵＥ）装置との接続を管理する移動体通信システムネットワークのコアネットワークのエンティティにおける方法であって、
上記移動体通信システムネットワークは、
上記移動体通信システムネットワークを介して、上記ＵＥ装置と上記コアネットワークとの第１の接続を確立する基地局と、
上記移動体通信システムネットワーク以外のネットワークを介して、上記ＵＥ装置と上記コアネットワークとの第２の接続を確立するインターワーキング機能と
を備え、
上記方法は、
上記インターワーキング機能を介して、上記ＵＥ装置との上記第２の接続を確立する段階と、
上記ＵＥ装置からメッセージを受信したことに応答して、上記インターワーキング機能を介した上記第２の接続を一時停止する一方で、上記第１の接続を介して上記ＵＥ装置と通信しながら、上記第２の接続の再開を延期する上記第２の接続のコンテキスト情報を記憶する段階とを備える、方法。
［項目１１］
上記移動体通信システムネットワークは、
上記インターワーキング機能を介した上記ＵＥ装置との上記第２の接続を有する間、上記第２の接続を維持するためのキープアライブメッセージを定期的に送信し、
上記インターワーキング機能を介した上記ＵＥ装置との上記第２の接続を停止させている間、上記キープアライブメッセージを送信することをやめる、項目１０に記載の方法。
［項目１２］
上記コンテキスト情報は、上記第２の接続が再開しないということを示す上記ＵＥ装置からのメッセージを受信したことに応答して、削除される、項目１１に記載の方法。
［項目１３］
上記コンテキスト情報は、上記第２の接続が再開しない場合、予め定められた時間の後に削除される、項目１１に記載の方法。
【図１】
0006984827.tif 000002
【図２】
0006984827.tif 000003
【図３】
0006984827.tif 000004
【図４】
0006984827.tif 000005
【図５】
0006984827.tif 000006